(57)【要約】【課題】認証に用いられる登録生体情報の情報量が少ないことに起因する誤認証を抑制することができる生体情報認証装置、生体情報登録装置及び生体情報認証システムを提供する。【解決手段】生体情報認証装置１は、車両以外において第２の読取面３００に接触する登録者の生体情報を読み取って登録生体情報３５を生成する生体情報登録装置３から登録生体情報３５を取得する第１の通信部１２と、第２の読取面３００より小さい面積を有する第１の読取面１００に接触するユーザの生体情報１５を読み取る第１の生体情報センサ１０と、取得した登録生体情報３５と第１の生体情報センサ１０が読み取った生体情報１５とに基づいて当該ユーザが登録者であるか否かの認証を行う制御部１４と、を備えて車両に搭載されて概略構成されている。【選択図】図３
2019204391.tif 000002
【特許請求の範囲】
【請求項１】
車両以外において第２の読取面に接触する登録者の生体情報を読み取って登録生体情報を生成する生体情報登録装置から前記登録生体情報を取得する取得部と、
前記第２の読取面より小さい面積を有する第１の読取面に接触するユーザの生体情報を読み取る第１の生体情報センサと、
取得した前記登録生体情報と前記第１の生体情報センサが読み取った前記生体情報とに基づいて当該ユーザが前記登録者であるか否かの認証を行う認証部と、
を備えて前記車両に搭載された生体情報認証装置。
【請求項２】
前記第１の読取面が、前記車両に搭載されたスイッチの操作面に露出するように配置された、
請求項１に記載の生体情報認証装置。
【請求項３】
第２の読取面に接触した登録者の生体情報を読み取る第２の生体情報センサと、
読み取った前記登録者の生体情報に基づいて登録生体情報を生成する登録生体情報生成部と、
車両に搭載されると共に前記第２の読取面よりも小さい第１の読取面に接触したユーザの生体情報を読み取って前記登録生体情報との認証を行う生体情報認証装置に、前記登録生体情報生成部が生成した前記登録生体情報を出力する出力部と、
を備えて前記車両以外に配置された生体情報登録装置。
【請求項４】
第２の読取面に接触する登録者の生体情報を読み取って認証に使用される登録生体情報を生成する生体情報登録装置と、
電磁気的に接続された前記生体情報登録装置から取得した前記登録生体情報と前記第２の読取面より小さい第１の読取面を介して読み取ったユーザの生体情報とに基づいて当該ユーザが前記登録者であるか否かの認証を行う生体情報認証装置と、
を備えた生体情報認証システム。
【請求項５】
前記生体情報登録装置と前記生体情報認証装置とに電磁気的に接続され、前記登録生体情報を記憶すると共に前記登録生体情報を前記生体情報認証装置に出力するサーバを備えた、
前記請求項４に記載の生体情報認証システム。
【発明の詳細な説明】
【技術分野】
【０００１】
本発明は、生体情報認証装置、生体情報登録装置及び生体情報認証システムに関する。
【背景技術】
【０００２】
従来の技術として、指紋読み取りセンサに押し当てた指から入力指紋を読み取り、入力指紋と予め登録された登録指紋との照合を行う指紋照合装置が知られている（例えば、特許文献１参照。）。
【０００３】
この指紋照合装置は、さらに指紋読み取りセンサに対する指の押圧が所定値以上となるとオン状態となる圧力スイッチと、被登録者の入力指紋に基づいて、当該被登録者の登録指紋を定めて登録する登録処理部と、を有している。また指紋照合装置は、登録指紋を登録する際、複数回指紋読み取りセンサに指を押し当てる必要がある。
【先行技術文献】
【特許文献】
【０００４】
【特許文献１】特開２００２−２９８１２７号公報
【発明の概要】
【発明が解決しようとする課題】
【０００５】
従来の指紋照合装置は、例えば、車両内のように配置スペースに限りがある場合、指を押し当てる面の面積を小さくせざるを得ず、読み取られた登録指紋などの認証用の登録生体情報の情報量が少なく、誤認証が生じる可能性が増加する問題がある。
【０００６】
従って本発明の目的は、認証に用いられる登録生体情報の情報量が少ないことに起因する誤認証を抑制することができる生体情報認証装置、生体情報登録装置及び生体情報認証システムを提供することにある。
【課題を解決するための手段】
【０００７】
本発明の一態様は、車両以外において第２の読取面に接触する登録者の生体情報を読み取って登録生体情報を生成する生体情報登録装置から登録生体情報を取得する取得部と、第２の読取面より小さい面積を有する第１の読取面に接触するユーザの生体情報を読み取る第１の生体情報センサと、取得した登録生体情報と第１の生体情報センサが読み取った生体情報とに基づいて当該ユーザが登録者であるか否かの認証を行う認証部と、を備えて車両に搭載された生体情報認証装置を提供する。
【０００８】
本発明の他の態様は、第２の読取面に接触した登録者の生体情報を読み取る第２の生体情報センサと、読み取った登録者の生体情報に基づいて登録生体情報を生成する登録生体情報生成部と、車両に搭載されると共に第２の読取面よりも小さい第１の読取面に接触したユーザの生体情報を読み取って登録生体情報との認証を行う生体情報認証装置に、登録生体情報生成部が生成した登録生体情報を出力する出力部と、を備えて車両以外に配置された生体情報登録装置を提供する。
【０００９】
本発明の他の態様は、第２の読取面に接触する登録者の生体情報を読み取って認証に使用される登録生体情報を生成する生体情報登録装置と、電磁気的に接続された生体情報登録装置から取得した登録生体情報と第２の読取面より小さい第１の読取面を介して読み取ったユーザの生体情報とに基づいて当該ユーザが登録者であるか否かの認証を行う生体情報認証装置と、を備えた生体情報認証システムを提供する。
【発明の効果】
【００１０】
本発明によれば、認証に用いられる登録生体情報の情報量が少ないことに起因する誤認証を抑制することができる。
【図面の簡単な説明】
【００１１】
【図１】図１（ａ）は、第１の実施の形態に係る生体情報認証装置の配置の一例を示す概略図であり、図１（ｂ）は、生体情報認証装置のブロック図の一例である。
【図２】図２（ａ）は、第１の実施の形態に係る生体情報認証装置が読み取って生成された第１の読取画像の一例を示す概略図であり、図２（ｂ）は、生体情報登録装置が読み取って生成された第２の読取画像の一例を示す概略図である。
【図３】図３は、第１の実施の形態に係る生体情報認証装置の動作の一例を示すフローチャートである。
【図４】図４（ａ）は、第２の実施の形態に係る生体情報登録装置の一例を示す概略図であり、図４（ｂ）は、生体情報登録装置のブロック図の一例である。
【図５】図５は、第２の実施の形態に係る生体情報登録装置の動作の一例を示すフローチャートである。
【図６】図６（ａ）は、第３の実施の形態に係る生体情報認証システムの一例を示す概略図であり、図６（ｂ）は、車両の通信システムの一例を示すブロック図である。
【図７】図７は、第３の実施の形態に係る生体情報認証システムの動作の一例を示すシーケンスチャートである。
【発明を実施するための形態】
【００１２】
（実施の形態の要約）
実施の形態に係る生体情報認証装置は、車両以外において第２の読取面に接触する登録者の生体情報を読み取って登録生体情報を生成する生体情報登録装置から登録生体情報を取得する取得部と、第２の読取面より小さい面積を有する第１の読取面に接触するユーザの生体情報を読み取る第１の生体情報センサと、取得した登録生体情報と第１の生体情報センサが読み取った生体情報とに基づいて当該ユーザが登録者であるか否かの認証を行う認証部と、を備えて車両に搭載されて概略構成されている。
【００１３】
この生体情報認証装置は、生体情報認証装置より読取面が大きい、つまり一度に取得できる情報量が多い生体情報登録装置によって登録生体情報が生成されているので、小さい読取面によって生成された登録生体情報を認証に用いる場合と比べて、登録生体情報の情報量が認証対象の生体情報より多く、認証に用いられる登録生体情報の情報量が少ないことに起因する誤認証を抑制することができる。
【００１４】
[第１の実施の形態]
（生体情報認証装置１の概要）
図１（ａ）は、第１の実施の形態に係る生体情報認証装置の配置の一例を示す概略図であり、図１（ｂ）は、生体情報認証装置のブロック図の一例である。図２（ａ）は、第１の実施の形態に係る生体情報認証装置が読み取って生成された第１の読取画像の一例を示す概略図であり、図２（ｂ）は、生体情報登録装置が読み取って生成された第２の読取画像の一例を示す概略図である。図２（ａ）の第１の読取画像Ｓ１は、紙面の左上を原点としてｘ１ｙ１座標系が設定されている。また図２（ｂ）の第２の読取画像Ｓ３は、紙面左上の原点とするｘ２ｙ２座標系が設定されている。図２（ａ）及び図２（ｂ）に示す第１の読取画像Ｓ１と第２の読取画像Ｓ３の大小関係は、図示した通りである。
【００１５】
なお、以下に記載する実施の形態に係る各図において、図形間の比率は、実際の比率とは異なる場合がある。また図１（ｂ）、図４（ｂ）、図６（ａ）、図６（ｂ）及び図７では、主な信号や情報の流れを矢印で示している。
【００１６】
生体情報認証装置１は、例えば、図１（ａ）〜図２（ｂ）に示すように、事前に登録された登録生体情報３５と、読み取った生体情報１５と、の認証を行うように構成されている。また生体情報認証装置１は、登録生体情報３５を生成せず、外部から取得するように構成されている。つまり生体情報認証装置１は、認証のみを行う。本実施の形態の読み取り対象となる生体情報１５は、一例として、操作指の指紋である。
【００１７】
具体的には、生体情報認証装置１は、車両以外において第２の読取面に接触する登録者の生体情報を読み取って登録生体情報３５を生成する生体情報登録装置から登録生体情報３５を取得する取得部としての第１の通信部１２と、第２の読取面より小さい面積を有する第１の読取面１００に接触するユーザの生体情報１５を読み取る第１の生体情報センサ１０と、取得した登録生体情報３５と第１の生体情報センサ１０が読み取った生体情報１５とに基づいて当該ユーザが登録者であるか否かの認証を行う認証部としての制御部１４と、を備えて車両に搭載されて概略構成されている。
【００１８】
生体情報登録装置は、例えば、後述する図４（ａ）及び図４（ｂ）に示す生体情報登録装置３である。生体情報認証装置１は、第１の通信部１２を介して生体情報登録装置３と通信を行い、登録生体情報３５を取得するように構成されている。この生体情報登録装置３は、例えば、車両の販売店やユーザが所有するコンピュータ、スマートフォンなどの車載装置ではない電子機器である。
【００１９】
また本実施の形態の生体情報認証装置１の第１の読取面１００は、例えば、図１（ａ）に示すように、車両に搭載されたスイッチ（スタートスイッチ装置６）の操作面６２に露出するように配置されている。なお生体情報認証装置１の配置は、スタートスイッチ装置６に限定されず、他のスイッチに配置されても良い。
【００２０】
このスタートスイッチ装置６は、車両の駆動装置の始動と停止を指示するプッシュスイッチである。ユーザは、例えば、車両に登録された携帯機（電子キー）を携帯して車両に近づくと、携帯機と車両とでＩＤの認証が行われる。そして認証が成立した場合、ユーザは、車両のドアのロックを解除して車両に乗り込むことができる。この際、生体情報認証装置１は、ＩＤの認証に続くユーザの生体情報１５の認証を行うため、電力が供給されて待機状態となる。
【００２１】
スタートスイッチ装置６は、例えば、ユーザが操作面６２に対してプッシュ操作を行い、かつユーザが登録者であることが認証された場合、車両の駆動装置の始動を指示する。
【００２２】
具体的には、駆動装置が内燃機関（エンジン）である場合、シフト装置やブレーキ装置の操作条件が満足された状態でなされたプッシュ操作によりエンジンが始動する。また駆動装置がモータである場合、上記の操作条件が満足された状態でなされたプッシュ操作によりモータに電流を供給する始動準備が行われる。さらに駆動装置がエンジンとモータのハイブリッドである場合、上記の操作条件が満足された状態でなされたプッシュ操作により、始動時に優先される駆動装置に対応して始動又は始動準備が行われる。
される。
【００２３】
スタートスイッチ装置６は、例えば、円筒形の本体６０と、本体６０の開口６３に挿入された操作ボタン６１と、を備えている。第１の読取面１００は、操作ボタン６１の操作面６２の中央に露出している。
【００２４】
このスタートスイッチ装置６は、例えば、車両のステアリング、ステアリング近くのパネル、運転席と助手席の間に位置するフロアコンソールなどに配置されている。
【００２５】
ここで生体情報認証装置１は、例えば、生体情報１５の認証が成立した場合、認証が成立したことを示す認証情報Ｓ２を電磁気的に接続された車載装置に出力する。この車載装置は、例えば、この認証情報Ｓ２に基づいて認証が成立したユーザが登録した設定を実行する。例えば、車載装置がシートの駆動装置であった場合、ユーザが登録したシート位置にシートを駆動する。また例えば、車載装置が空調装置であった場合、ユーザが登録した設定温度、風量などの設定を行う。さらに例えば、車載装置がミラーの駆動装置であった場合、ユーザが登録した位置にミラーを駆動する。なお電磁気的に接続とは、例えば、導電体を介した接続、電磁波の一種である光を介した接続、及び電磁波の一種である電波を介した接続の少なくとも１つを用いた接続である。
【００２６】
（第１の生体情報センサ１０の構成）
第１の生体情報センサ１０は、一例として、静電容量式のセンサである。この第１の生体情報センサ１０は、例えば、図１（ａ）に示すように、スタートスイッチ装置６の操作ボタン６１を操作する際、第１の読取面１００に接触した操作指９から指紋、つまり生体情報１５を読み取るように構成されている。
【００２７】
なお変形例として第１の生体情報センサ１０は、例えば、感圧式、感熱式などの指紋を読み取るように構成されたセンサであっても良い。また第１の生体情報センサ１０は、例えば、配置される場所によっては手の平の掌紋などを読み取るように構成されたセンサであっても良い。さらに第１の生体情報センサ１０は、例えば、生体情報１５として操作指や手の平の静脈を読み取るように構成されても良い。静脈の読み取りは、例えば、照射した近赤外線の反射に基づいて静脈パターンを読み取るように構成されたセンサを用いて行われる。そして第１の生体情報センサ１０は、例えば、これらを組み合わせたセンサであっても良い。
【００２８】
第１の生体情報センサ１０は、例えば、第１の読取面１００の下方にマトリクス状に並ぶ複数の検出電極を備えている。この複数の検出電極は、一例として、数万から数十万個形成されると共に、数μｍから数十μｍの間隔で配置されている。
【００２９】
第１の生体情報センサ１０は、例えば、Ｘ１軸方向を行とした場合、行に並ぶ検出電極の静電容量を読み出し、続いて行を替えて検出電極の静電容量を読み出すことを繰り返して全ての検出電極を走査するように構成されている。この走査の周期は、一例として、１００ｍｓ程度である。
【００３０】
第１の生体情報センサ１０は、例えば、走査して読み出した複数の静電容量に基づいて形成される第１の読取画像Ｓ１を制御部１４に出力する。この第１の読取画像Ｓ１は、例えば、１周期分の静電容量に基づいて形成される。
【００３１】
具体的には、第１の生体情報センサ１０は、例えば、予め設けられたしきい値以上の静電容量を「１」、しきい値より低い静電容量を「０」に分けると共に、検出電極の位置と関連付けて第１の読取画像Ｓ１を生成する。
【００３２】
図２（ａ）に示す第１の読取画像Ｓ１は、一例として、上述の「１」の検出電極の位置を黒、「０」の検出電極の位置を白としている。なお図中の丸は、後述する特徴点５の一部を示すために付したものである。
【００３３】
静電容量が高い位置は、指紋の山の位置であって検出電極までの距離が近いので、静電容量が高くなる。そして低い位置は、指紋の谷の位置であって検出電極までの距離が遠く、静電容量が低くなる。従って静電容量の高い位置を黒、低い位置を白とすると、一例として、図２（ａ）に示すような第１の読取画像Ｓ１が得られる。
【００３４】
この第１の読取画像Ｓ１は、第１の読取面１００と相似形であり、Ｘ１Ｙ１座標系に対応してｘ１ｙ１座標系が設定されている。そして第１の読取画像Ｓ１において黒で示した画像が読み取られた生体情報１５となる。
【００３５】
（第１の通信部１２の構成）
第１の通信部１２は、例えば、他の車載装置と相互に信号やデータなどの交換を可能とするように構成されている。第１の通信部１２は、例えば、車両に搭載された、ＣＡＮ（Controller Area Network）やＬＩＮ（Local Interconnect Network）などの後述する車両ＬＡＮ（Local Area Network）７１を介して通信を行うように構成されている。
【００３６】
（制御部１４の構成）
制御部１４は、例えば、記憶されたプログラムに従って、取得したデータに演算、加工などを行うＣＰＵ（Central Processing Unit）、半導体メモリであるＲＡＭ（Random Access Memory）及びＲＯＭ（Read Only Memory）などから構成されるマイクロコンピュータである。このＲＯＭには、例えば、制御部１４が動作するためのプログラムと、類似度しきい値１４０と、が格納されている。ＲＡＭは、例えば、取得した登録生体情報３５や演算結果などを格納する記憶領域として用いられる。なお制御部１４は、例えば、ユーザごとに登録生体情報３５を記憶すると共に、ユーザの複数の操作指で登録された登録生体情報３５を記憶する。
【００３７】
制御部１４は、例えば、第１の読取画像Ｓ１に対して抽出処理を行って特徴点５を抽出する。この抽出処理は、例えば、隆線の抽出処理などである。
【００３８】
特徴点５とは、例えば、図２（ａ）及び図２（ｂ）に示すように、中心点、分岐点、端点及び三角州などであるがこれに限定されない。中心点とは、指紋の中心となる点である。分岐点とは、指紋の隆線が分岐している点である。端点とは、隆線が切れている点である。三角州とは、三方向から隆線が集まった点である。
【００３９】
制御部１４は、例えば、第１の読取画像Ｓ１から特徴点５を抽出する。そして制御部１４は、例えば、取得した登録生体情報３５と、特徴点５が抽出された生体情報１５と、を比較し、特徴点５の位置、特徴点５間の距離などに基づいて類似度を算出する。そして制御部１４は、類似度が類似度しきい値１４０以上であった場合、生体情報１５の認証が成立したとして認証情報Ｓ２を出力する。
【００４０】
この類似度しきい値１４０は、一例として、８０％である。つまり制御部１４は、例えば、認証に使用する生体情報１５の特徴点５の数が８０個である場合、６４個以上の特徴点５が登録生体情報３５の特徴点５と一致すれば、ユーザが登録者であると判定する。なお一致とは、特徴点５の位置、特徴点５間の距離などの一致を含んでいる。
【００４１】
ここで第１の生体情報センサ１０は、例えば、図１（ａ）に示すように、スタートスイッチ装置６の操作ボタン６１といった限られたスペースに配置されるので、一度に読み取れる指紋の最大面積が小さい、つまり指紋の情報量、言い換えるなら抽出される指紋の特徴点５の数が少ない。またユーザがスタートスイッチ装置６を操作する際、押し方によって第１の読取面１００に対する操作指９の接触の仕方が様々であるので、さらに特徴点５の数が少なくなる場合もある。
【００４２】
制御部１４は、第１の読取面１００に接触させて登録生体情報３５を生成するのではなく、第１の読取面１００より大きい面積を有する第２の読取面３００を備えた生体情報登録装置３で生成された登録生体情報３５を用いて認証を行う。この登録生体情報３５は、例えば、図２（ａ）及び図２（ｂ）に示すように、第１の読取面１００を介して読み取られる情報量よりも多い情報量、つまり第１の読取面１００を介して読み取られる特徴点５よりも多くの特徴点５を含んでいる。
【００４３】
本実施の形態の第２の読取面３００は、一例として、第１の読取面１００の約３倍の面積を有している。よって図２（ｂ）の第２の読取画像Ｓ３は、一例として、図２（ａ）の第１の読取画像Ｓ１の約３倍の面積を有している。そして第２の読取画像Ｓ３に基づく登録生体情報３５は、第１の読取画像Ｓ１に基づく生体情報１５と比べて約３倍の情報量（特徴点５）を有している。
【００４４】
従って操作指９を接触させる位置が変わっても接触させた領域の少なくとも一部が登録生体情報３５に含まれている可能性が、生体情報１５と同等の情報量を有する登録生体情報と比べて高くなり、認証が成立する可能性も高くなる。
【００４５】
このように、生体情報認証装置１は、読み取った生体情報１５と取得した登録生体情報３５とでは、含まれる特徴点５の最大数が異なる。従って制御部１４は、生体情報１５の特徴点５を基準として、当該特徴点５と登録生体情報３５の特徴点５とが一致する数を求め、類似度しきい値１４０と比較することでユーザが登録者であるか否かの判定を行う。
【００４６】
以下に本実施の形態の生体情報認証装置１の動作の一例について図３のフローチャートに従って説明する。ここでは、生体情報認証装置１は、第１の通信部１２を介して登録生体情報３５を取得済みであるものとする。
【００４７】
（動作）
生体情報認証装置１の制御部１４は、例えば、ユーザが携帯する携帯機と車両との認証が成立し、車両のドアがアンロックされた場合、電源が供給されて生体情報１５を読み取り可能な状態となる。そして制御部１４は、周期的に静電容量を読み出し、ユーザの生体情報１５が読み取られたか否かを監視する。
【００４８】
制御部１４は、ステップ１の「Ｙｅｓ」が成立する、つまりユーザの生体情報１５が読み取られた場合（Ｓｔｅｐ１：Ｙｅｓ）、事前に生体情報登録装置３から取得して記憶された登録生体情報３５を用いて認証を行う（Ｓｔｅｐ２）。
【００４９】
制御部１４は、認証が成立すると（Ｓｔｅｐ３：Ｙｅｓ）、認証が成立したことを示す認証情報Ｓ２を第１の通信部１２を介して出力する（Ｓｔｅｐ５）。
【００５０】
ここでステップ３において制御部１４は、認証が不成立であった場合（Ｓｔｅｐ３：Ｎｏ）、認証を終了する。
【００５１】
（第１の実施の形態の効果）
本実施の形態の生体情報認証装置１は、登録生体情報３５の情報量が少ないことに起因する誤認証を抑制することができる。この生体情報認証装置１は、自身で登録生体情報３５を生成するのではなく、自身と比べて、一度により多くの面積の指紋を読み取ることができる生体情報登録装置３によって生成された登録生体情報３５を用いて認証を行う。従って生体情報認証装置１は、自身が読み取った生体情報に基づいて生成された登録生体情報を用いる場合と比べて、登録生体情報３５の情報量が多い、すなわち比較できる特徴点５の数が多いので、認証に用いられる登録生体情報３５の情報量が少ないことに起因する誤認証を抑制することができる。
【００５２】
生体情報認証装置１は、操作指９を接触させる位置が変わっても接触させた領域の少なくとも一部が登録生体情報３５に含まれている可能性が、生体情報１５と同等の情報量を有する登録生体情報と比べて高いので、認証が成立する可能性が高くなる。
【００５３】
生体情報認証装置１がスタートスイッチ装置６に配置されている場合、一例として、ユーザに対して対向するように、つまり車両の床に対して立ち上がるパネルなどに配置されることが多い。この場合、ユーザは、手を伸ばしてスタートスイッチ装置６を操作するので、操作指９の腹ではなく先端側で操作ボタン６１を押す可能性が高く、読み取られる生体情報１５の特徴点５の数がさらに少なくなる可能性がある。しかし生体情報認証装置１は、広い範囲をカバーする登録生体情報３５を用いて認証を行うので、精度の高い認証を行うことができる。
【００５４】
[第２の実施の形態]
第２の実施の形態は、生体情報登録装置３に関する実施の形態である。
【００５５】
図４（ａ）は、第２の実施の形態に係る生体情報登録装置の一例を示す概略図であり、図４（ｂ）は、生体情報登録装置のブロック図の一例である。なお以下に記載する実施の形態において、第１の実施の形態と同じ機能及び構成を有する部分は、第１の実施の形態と同じ符号を付し、その説明は省略するものとする。
【００５６】
この生体情報登録装置３は、例えば、図４（ａ）及び図４（ｂ）に示すように、第２の読取面３００に接触した登録者の生体情報を読み取る第２の生体情報センサ３０と、読み取った登録者の生体情報に基づいて登録生体情報３５を生成する登録生体情報生成部３２と、車両に搭載されると共に第２の読取面３００よりも小さい第１の読取面１００に接触したユーザの生体情報１５を読み取って登録生体情報３５との認証を行う生体情報認証装置１に、登録生体情報生成部３２が生成した登録生体情報３５を出力する出力部としての第２の通信部３４と、を備えて車両以外に配置されて概略構成されている。そして生体情報登録装置３は、制御部３６を備えている。
【００５７】
（第２の生体情報センサ３０の構成）
第２の生体情報センサ３０は、例えば、第１の生体情報センサ１０と同様に静電容量式のセンサである。第２の生体情報センサ３０は、例えば、図４（ａ）に示すように、第２の読取面３００に接触した操作指９から指紋、つまり生体情報を読み取るように構成されている。この第２の読取面３００には、例えば、図４（ａ）の紙面左上を原点とするＸ２Ｙ２座標系が設定されている。
【００５８】
第２の読取面３００は、例えば、図４（ａ）に示すように、生体情報登録装置３の本体３ａに露出している。この第２の読取面３００は、例えば、図１（ａ）及び図４（ａ）に示すように、生体情報認証装置１の第１の読取面１００よりも大きい面積を有している。なお図１（ａ）及び図４（ａ）では、操作指９が同じ大きさで図示され、また第２の読取面３００が第１の読取面１００の約３倍として図示されている。
【００５９】
第２の生体情報センサ３０は、例えば、複数の検出電極を有している。そして第２の生体情報センサ３０は、例えば、Ｘ２軸方向を行とした場合、行に並ぶ検出電極の静電容量を読み出し、続いて行を替えて検出電極の静電容量を読み出すことを繰り返して全ての検出電極を走査するように構成されている。この走査の周期は、一例として、１００ｍｓ程度である。
【００６０】
第２の生体情報センサ３０は、例えば、走査して読み出した複数の静電容量に基づいて形成される第２の読取画像Ｓ３を制御部３６に出力する。この第２の読取画像Ｓ３は、例えば、第１の読取画像Ｓ１と同様に、１周期分の静電容量に基づいて形成される。
【００６１】
この第２の読取画像Ｓ３は、第２の読取面３００と相似形であり、Ｘ２Ｙ２座標系に対応してｘ２ｙ２座標系が設定されている。そして第２の読取画像Ｓ３において黒で示した画像が読み取られた登録生体情報３５となる。
【００６２】
（登録生体情報生成部３２の構成）
登録生体情報生成部３２は、第２の生体情報センサ３０から取得した第２の読取画像Ｓ３に対して特徴点５の抽出処理を行い、認証の基準となるテンプレートとしての登録生体情報３５を生成する。登録生体情報生成部３２は、生成した登録生体情報３５を制御部３６に出力する。
【００６３】
（第２の通信部３４の構成）
第２の通信部３４は、例えば、生体情報認証装置１と相互に信号やデータなどの交換を可能とするように構成されている。第２の通信部３４は、例えば、無線で生体情報認証装置１と通信を行えるように構成されると共に、有線で生体情報認証装置１と通信を行うように構成される。
【００６４】
（制御部３６の構成）
制御部３６は、例えば、記憶されたプログラムに従って、取得したデータに演算、加工などを行うＣＰＵ、半導体メモリであるＲＡＭ及びＲＯＭなどから構成されるマイクロコンピュータである。このＲＯＭには、例えば、制御部３６が動作するためのプログラムが格納されている。ＲＡＭは、例えば、演算結果などを格納する記憶領域として用いられる。
【００６５】
制御部３６は、例えば、ボタンなどによる指示によって登録生体情報３５の生成が指示された場合、登録モードに移行する。制御部３６は、登録モードに移行すると、第２の生体情報センサ３０から第２の読取画像Ｓ３を取得し、登録生体情報生成部３２を制御して登録生体情報３５を生成させる。
【００６６】
制御部３６は、例えば、第２の通信部３４を介して生体情報認証装置１と電磁気的に接続され、生体情報認証装置１から登録生体情報３５の出力の指示があった場合、登録生体情報３５を出力する。
【００６７】
以下に、本実施の形態の生体情報登録装置３の動作について図５のフローチャートに従って説明する。
【００６８】
（動作）
生体情報登録装置３の制御部３６は、登録モードに移行すると（Ｓｔｅｐ１０）、第２の生体情報センサ３０を制御して登録者の生体情報を読み取らせる（Ｓｔｅｐ１１）。
【００６９】
制御部３６は、登録生体情報生成部３２を制御し、読み取った第２の読取画像Ｓ３に抽出処理などを行って登録生体情報３５を生成する（Ｓｔｅｐ１２）。
【００７０】
制御部３６は、第２の通信部３４を介して接続された生体情報認証装置１に、生成した登録生体情報３５を出力する（Ｓｔｅｐ１３）。
【００７１】
（第２の実施の形態の効果）
本実施の形態の生体情報登録装置３は、生体情報認証装置１において、認証に用いられる登録生体情報３５の情報量が少ないことに起因する誤認証を抑制することができる。この生体情報登録装置３は、生体情報認証装置１が第１の読取面１００を介して読み取る生体情報１５よりも大きな情報量を有する登録生体情報３５を生成することができるので、当該生体情報１５と同等の情報量を有する登録生体情報を生成する場合と比べて、情報量が少ないことに起因する誤認識を抑制することができる。
【００７２】
生体情報認証装置１は、車両に搭載されるので配置スペースが狭く、小型化する必要がある。しかし生体情報登録装置３は、車両に搭載されないので、小型化する必要がなく、大きな読取面でユーザの生体情報を読み取り、情報量の多い登録生体情報３５を生成することができる。また生体情報登録装置３は、情報量の多い登録生体情報３５を生成するために、第２の読取面３００に操作指９を接触させる回数が抑制されるので、ユーザの操作負荷を抑制することができる。
【００７３】
[第３の実施の形態]
第３の実施の形態は、第１の実施の形態の生体情報認証装置１、及び第２の実施の形態の生体情報登録装置３を含んで構成される生体情報認証システム８に関する実施の形態である。
【００７４】
図６（ａ）は、第３の実施の形態に係る生体情報認証システムの一例を示す概略図であり、図６（ｂ）は、車両の通信システムの一例を示すブロック図である。
【００７５】
この生体情報認証システム８は、例えば、図６（ａ）に示すように、第２の読取面３００に接触する登録者の生体情報を読み取って認証に使用される登録生体情報３５を生成する生体情報登録装置３と、電磁気的に接続された生体情報登録装置３から取得した登録生体情報３５と第２の読取面３００より小さい第１の読取面１００を介して読み取ったユーザの生体情報１５とに基づいて当該ユーザが登録者であるか否かの認証を行う生体情報認証装置１と、を備えて概略構成されている。
【００７６】
本実施の形態の生体情報認証システム８は、さらに生体情報登録装置３と生体情報認証装置１とに電磁気的に接続され、登録生体情報３５を記憶すると共に登録生体情報３５を生体情報認証装置１に出力するサーバとしての管理サーバ８０を備えている。
【００７７】
この管理サーバ８０は、例えば、生体情報登録装置３によって生成された複数の登録者の登録生体情報３５を記憶すると共に、登録者が所有する車両７に出力するように構成されている。管理サーバ８０は、例えば、接続対象の複数の車両７と電磁気的に接続されている。
【００７８】
生体情報認証装置１は、一例として、図６（ｂ）に示すように、通信システム７０を介して管理サーバ８０から登録生体情報３５を取得する。この通信システム７０は、一例として、車両ＬＡＮ７１と、車両制御部７２と、通信部７３と、を備えて概略構成されている。
【００７９】
車両ＬＡＮ７１は、一例として、ＣＡＮ（Controller Area Network）及びＬＩＮ（Local Interconnect Network）などの規格を用いた相互の通信を可能とするものである。車両制御部７２は、例えば、通信システム７０などを制御するマイクロコンピュータである。通信部７３は、例えば、管理サーバ８０と無線通信できるように構成されている。
【００８０】
なお生体情報認証システム８は、生体情報認証装置１及び生体情報登録装置３が有線で管理サーバ８０と接続するように構成されても良い。
【００８１】
以下に本実施の形態の生体情報認証システム８の動作の一例について図７のシーケンスチャートに従って説明する。
【００８２】
（動作）
生体情報登録装置３の制御部３６は、登録モードに移行すると、第２の生体情報センサ３０及び登録生体情報生成部３２を制御して登録生体情報３５を生成する（Ｓｔｅｐ２０）。次に制御部３６は、第２の通信部３４を制御して生成された登録生体情報３５を管理サーバ８０に出力する（Ｓｔｅｐ２１）。
【００８３】
管理サーバ８０は、生体情報登録装置３から出力された登録生体情報３５を記憶する（Ｓｔｅｐ２２）。そして管理サーバ８０は、登録生体情報３５の出力を指示する指示信号Ｓ４が生体情報認証装置１から入力し、入力した指示信号Ｓ４が正しい指示であった場合、指示信号Ｓ４を出力した生体情報認証装置１に登録生体情報３５を出力する（Ｓｔｅｐ２３）。この正しい指示とは、送信元の車両７のユーザが登録者であった場合を示している。登録者と車両７のユーザとが一致しない場合、登録生体情報３５は、出力されない。
【００８４】
生体情報認証装置１の制御部１４は、管理サーバ８０から出力された登録生体情報３５を、通信システム７０の通信部７３及び車両ＬＡＮ７１を介して受け取り、記憶する（Ｓｔｅｐ２４）。そして制御部１４は、取得した登録生体情報３５を用いて第１の生体情報センサ１０で読み取った生体情報１５との認証を行う。
【００８５】
（第３の実施の形態の効果）
本実施の形態の生体情報認証システム８は、認証に用いられる登録生体情報３５の情報量が少ないことに起因する誤認証を抑制することができる。この生体情報認証システム８は、管理サーバ８０を介して、生体情報認証装置１に登録生体情報３５を出力することができるので、生体情報認証装置において認証用の登録生体情報を生成する場合と比べて、より情報量の多い登録生体情報３５を用いた認証を行うことができる。
【００８６】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更などを行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれると共に、特許請求の範囲に記載された発明とその均等の範囲に含まれる。
【符号の説明】
【００８７】
１…生体情報認証装置、３…生体情報登録装置、３ａ…本体、５…特徴点、６…スタートスイッチ装置、７…車両、８…生体情報認証システム、９…操作指、１０…第１の生体情報センサ、１２…第１の通信部、１４…制御部、１５…生体情報、３０…第２の生体情報センサ、３２…登録生体情報生成部、３４…第２の通信部、３５…登録生体情報、３６…制御部、６０…本体、６１…操作ボタン、６２…操作面、６３…開口、７０…通信システム、７１…車両ＬＡＮ、７２…車両制御部、７３…通信部、８０…管理サーバ、１００…第１の読取面、１４０…類似度しきい値、３００…第２の読取面
【図１】
2019204391.tif 000003
【図２】
2019204391.tif 000004
【図３】
2019204391.tif 000005
【図４】
2019204391.tif 000006
【図５】
2019204391.tif 000007
【図６】
2019204391.tif 000008
【図７】
2019204391.tif 000009